(57)【要約】【課題】安価かつ省スペースで、火災時、或いは地震時に適切な対応を取るために必要なエレベータの運転状態に係る情報を報知できるエレベータ装置の提供。【解決手段】外部（３）に、火災管制運転指令に応じて火災灯４ｂを連続点灯開始し、乗かご３の非難階への運転開始に応じて火災灯４ｂを遅い点滅点灯とし、乗かご３の非難階への到着完了に応じて火災灯４ｂを早い点滅点灯とし、火災管制運転終了に応じて火災灯４ｂを消灯するとともに、地震管運転指令に応じて地震灯４ｃを連続点灯開始し、乗かご３の最寄階への運転開始に応じて地震灯４ｃを遅い点滅点灯とし、乗かご３の最寄階への停止完了に応じて地震灯４ｃを早い点滅点灯とし、地震管制運転終了に応じて地震灯４ｃを消灯する管制運転状態案内手段（２）を備えた構成としてある。【選択図】図１
2007112559.tif 000002
【特許請求の範囲】
【請求項１】
外部に、火災発生時に操作されエレベータの乗かごを予め定められる避難階へ直行させる火災管制運転スイッチ、及びこの火災管制運転スイッチの投入に応じて出力される火災管制運転指令により点灯する火災灯、或いは予め定められる震度を超えた地震検出に応じて出力される地震管運指令により点灯する地震灯のいずれか一方、又は両方を備えたエレベータ装置において、
前記外部に、前記火災管制運転指令に応じて前記火災灯を連続点灯開始し、前記乗かごの前記非難階への運転開始に応じて前記火災灯を遅い点滅点灯とし、前記乗かごの前記非難階への到着完了に応じて前記火災灯を早い点滅点灯とし、火災管制運転終了に応じて前記火災灯を消灯する火災管制運転状態案内手段と、前記地震管運転指令に応じて前記地震灯を連続点灯開始し、前記乗かごの最寄階への運転開始に応じて前記地震灯を遅い点滅点灯とし、前記乗かごの前記最寄階への停止完了に応じて前記地震灯を早い点滅点灯とし、地震管制運転終了に応じて前記地震灯を消灯する地震管制運転状態案内手段との少なくとも一方を備えたことを特徴とするエレベータ装置。
【請求項２】
前記火災管制運転状態案内手段は、前記火災管制運転指令に応じて前記火災灯を通常の明るさで連続点灯開始し、前記乗かごの前記非難階への運転開始に応じて前記火災灯を通常より明るい第２の設定値で遅い点滅点灯とし、前記乗かごの前記非難階への到着完了に応じて前記火災灯を第２の設定値より明るい第３の設定値で早い点滅点灯とすることを特徴とする請求項１記載のエレベータ装置。
【請求項３】
前記火災管制運転状態案内手段は、前記地震管運転指令に応じて前記地震灯を通常の明るさで連続点灯開始し、前記乗かごの前記最寄階への運転開始に応じて前記地震灯を通常より明るい第２の設定値で遅い点滅点灯とし、前記乗かごの前記最寄階への停止完了に応じて前記地震灯を第２の設定値より明るい第３の設定値で早い点滅点灯することを特徴とする請求項１記載のエレベータ装置。
【発明の詳細な説明】
【技術分野】
【０００１】
本発明は、エレベータ装置に係わり、特に火災時や地震時に、管理人室等の外部でエレベータの運転状態を監視するためのエレベータ装置に関する。
【背景技術】
【０００２】
従来、この種のものとして、火災時や地震時に、管理室等の外部でエレベータの運転状態を監視する手段として、火災灯や地震灯を設置したものがある。
【０００３】
又、従来、外部に、火災灯と地震灯の他に、運転灯、行き先階表示灯及び完了灯を備えた監視盤を設置し、火災時や地震時により詳細なエレベータの運転状態を把握することができるようにしたものが提案されている。
【発明の開示】
【発明が解決しようとする課題】
【０００４】
しかしながら、前述した従来の前者のものでは、火災灯や地震灯による連続点灯のみでは火災時、或いは地震時に適切な対応を取るために必要なエレベータの運転状態の確認が取れなかった。即ち、火災管制運転の終了対応や地震管制運転の復旧確認が出来ず好ましく無かった。又、後者のものでは、より詳細なエレベータの運転状態を把握することができるものの、監視盤はより高価で、サイズの大きなものとなることから、コスト面で、更には管理室内スペース上の問題で対応することが難しい場合がある。
【０００５】
本発明は、前述した従来技術における実状からなされたもので、その目的は、安価かつ省スペースで、火災時、或いは地震時に適切な対応を取るために必要なエレベータの運転状態に係る情報を報知することのできるエレベータ装置を提供することにある。
【課題を解決するための手段】
【０００６】
前記目的を達成するために、本発明の請求項１に係る発明は、外部に、火災発生時に操作されエレベータの乗かごを予め定められる避難階へ直行させる火災管制運転スイッチ、及びこの火災管制運転スイッチの投入に応じて出力される火災管制運転指令により点灯する火災灯、或いは予め定められる震度を超えた地震検出に応じて出力される地震管運指令により点灯する地震灯のいずれか一方、又は両方を備えたエレベータ装置において、前記外部に、前記火災管制運転指令に応じて前記火災灯を連続点灯開始し、前記乗かごの前記非難階への運転開始に応じて前記火災灯を遅い点滅点灯とし、前記乗かごの前記非難階への到着完了に応じて前記火災灯を早い点滅点灯とし、火災管制運転終了に応じて前記火災灯を消灯する火災管制運転状態案内手段と、前記地震管運転指令に応じて前記地震灯を連続点灯開始し、前記乗かごの最寄階への運転開始に応じて前記地震灯を遅い点滅点灯とし、前記乗かごの前記最寄階への停止完了に応じて前記地震灯を早い点滅点灯とし、地震管制運転終了に応じて前記地震灯を消灯する地震管制運転状態案内手段との少なくとも一方を備えたことを特徴としている。
【０００７】
このように構成した本発明の請求項１に係る発明は、火災時、或いは地震時に出力される管制運転指令に応じて外部に設置した火災灯、或いは地震灯を点灯させるとともに、点灯変化により乗かごの非難階、或いは最寄階への運転開始、乗かごの非難階、或いは最寄階への到着完了を表示する。これによって、外部の管理者に、火災時、或いは地震時に適切な対応を取るために必要なエレベータの運転状態に係る情報を報知することができる。一方、火災灯、或いは地震灯の点灯変化でエレベータの運転情報を報知するという簡易なものであることから、装置を安価かつ省スペースなものとすることができる。
【０００８】
又、本発明の請求項２に係る発明は、前記火災管制運転状態案内手段は、前記火災管制運転指令に応じて前記火災灯を通常の明るさで連続点灯開始し、前記乗かごの前記非難階への運転開始に応じて前記火災灯を通常より明るい第２の設定値で遅い点滅点灯とし、前記乗かごの前記非難階への到着完了に応じて前記火災灯を第２の設定値より明るい第３の設定値で早い点滅点灯とすることを特徴としている。
【０００９】
このように構成した本発明の請求項２に係る発明は、前述したように火災灯を異なる速さで点灯点滅させてエレベータの運転情報を報知することに加え、火災灯の明るさを変化させることにより視覚情報を増やし、これによって、外部の管理者はより確実にエレベータの状態を把握することができる。
【００１０】
更に、本発明の請求項３に係る発明は、前記火災管制運転状態案内手段は、前記地震管運転指令に応じて前記地震灯を通常の明るさで連続点灯開始し、前記乗かごの前記最寄階への運転開始に応じて前記地震灯を通常より明るい第２の設定値で遅い点滅点灯とし、前記乗かごの前記最寄階への停止完了に応じて前記地震灯を第２の設定値より明るい第３の設定値で早い点滅点灯することを特徴としている。
【００１１】
このように構成した本発明の請求項３に係る発明は、前述したように地震灯を異なる速さで点灯点滅させてエレベータの運転情報を報知することに加え、地震灯の明るさを変化させることにより視覚情報を増やし、これによって、外部の管理者はより確実にエレベータの状態を把握することができる。
【発明の効果】
【００１２】
本発明は、外部の管理者は火災時、或いは地震時にエレベータの運転状態を確実に把握することができることから、火災管制運転の終了対応や地震管制運転の復旧確認等、適切な対応を取ることができる。一方、火災灯或いは地震灯の点灯変化でエレベータの運転情報を報知するという簡易なものであることから、装置を安価かつ省スペースなものとし、したがって装置の普及を促進することができる。
【発明を実施するための最良の形態】
【００１３】
以下、本発明に係るエレベータ装置の実施の形態を図に基づいて説明する。
【００１４】
図１は本発明のエレベータ装置の一実施形態を示す概略構成図、図２はエレベータ装置の処理手順を示すフローチャートである。
【００１５】
本実施形態のエレベータ装置は図１に示すように、乗かご１の運転制御を含むエレベータ制御を行う中央演算処理部２と、外部、例えばビルに設けられる管理人室３に設置されるとともに中央演算処理部２と接続され、火災発生時に操作され乗かご１を予め定められる避難階へ直行させる火災管制運転スイッチ４ａ、この火災管制運転スイッチ４ａの投入に応じて中央演算処理部２から出力される火災管制運転指令により点灯する火災灯４ｂ、及び予め定められる震度を超えた地震検出に応じて中央演算処理部２から出力される地震管運指令により点灯する地震灯４ｃを具備する監視盤４とを備えている。なお、前述した火災管制運転状態案内手段、及び地震管制運転状態案内手段のそれぞれは、例えば中央演算処理部２から成っている。
【００１６】
ここで、図２を用いて本実施形態のエレベータ装置の処理手順を説明する。
【００１７】
火災発生を管理人室３の管理者が認知すると、手順Ｓ１として乗かご１を予め定められる非難階へ直行させるため火災管制運転スイッチ４ａを投入する。この火災管制運転スイッチ４ａの投入に応じて中央演算処理部２はエレベータを火災管制運転に設定し手順Ｓ２に示すように火災灯４ｂを通常の明るさで連続点灯させる。次いで、乗かご１の非難階への運転開始に応じて中央演算処理部２は手順Ｓ３として火災灯４ｂを通常より明るい第２の設定値で遅い点滅点灯とし、この後、乗かご１の非難階への到着完了に応じて手順Ｓ４として火災灯４ｂを第２の設定値より明るい第３の設定値で早い点滅点灯とする。乗かご１の非難階への到着完了を確認した管理人室３の管理者は火災管制運転スイッチ４ａを消磁し、この火災管制運転終了に応じて中央演算処理部２は手順Ｓ５として火災灯４ｂを消灯する。
【００１８】
一方、手順Ｓ６に示すように予め定められる震度を超えた地震が検出されると、中央演算処理部２はエレベータを地震管制運転に設定し手順Ｓ７に示すように地震灯４ｃを通常の明るさで連続点灯させる。次いで、乗かご１の最寄階への運転開始に応じて中央演算処理部２は手順Ｓ８として地震灯４ｃを通常より明るい第２の設定値で遅い点滅点灯とし、この後、乗かご１の最寄階への到着完了に応じて手順Ｓ９として地震灯４ｃを第２の設定値より明るい第３の設定値で早い点滅点灯とする。乗かご１の最寄階への到着完了に応じて管理人室３の管理者はエレベータの平常復帰が可能かどうかを確認し、平常復帰が行われた時点、即ち地震管制運転終了に応じて中央演算処理部２は手順Ｓ１０として地震灯４ｃを消灯する。
【００１９】
本実施形態によれば、管理人室３の管理者は火災時、或いは地震時に火災灯４ｂ、或いは地震灯４ｃの点灯変化によりエレベータの運転状態を確実に把握することができることから、火災管制運転の終了対応や地震管制運転の復旧確認等、適切な対応を取ることができる。一方、火災灯４ｂ或いは地震灯４ｃの点灯変化でエレベータの運転情報を報知するという簡易なものであることから、装置を安価かつ省スペースなものとし、したがって装置の普及を促進することができる。
【００２０】
尚、本実施形態では、火災灯４ｂ及び地震灯４ｃが備えられる監視盤４として説明したが、本発明はこれに限らず、外部に火災灯と地震灯とのいずれか一方が備えられるものにも適用することができるとともに、行き先階表示灯や完了灯を備えた監視盤の火災灯と地震灯とに本発明の点灯変化の機能を持たせることも可能である。又、本実施形態では、火災灯４ｂ及び地震灯４ｃを異なる速さで点灯点滅させるとともに明るさを変化させるものとしたが、火災灯４ｂ及び地震灯４ｃを異なる速さで点灯点滅させるだけでも所定の目的を達成することができる。
【図面の簡単な説明】
【００２１】
【図１】本発明のエレベータ装置の一実施形態を示す概略構成図である。
【図２】エレベータ装置の処理手順を示すフローチャートである。
【符号の説明】
【００２２】
１    乗かご
２    中央演算処理部
３    管理人室
４    監視盤
４ａ  火災管制運転スイッチ
４ｂ  火災灯
４ｃ  地震灯
【図１】
2007112559.tif 000003
【図２】
2007112559.tif 000004